(57)【特許請求の範囲】
【請求項１】
シートの幅方向のサイズを識別するサイドガイドと、シートの搬送方向のサイズを識別するエンドガイドと含んで構成されるサイズ識別手段と、
前記サイズ識別手段の操作に応じてＯＮ／ＯＦＦが切り替えられる複数のスイッチが設けられ、各々のスイッチのＯＮ／ＯＦＦ切り替えでスイッチ回路の抵抗の組み合わせが変更されることによりそのスイッチ回路の抵抗値が変更され、その抵抗値に応じたアナログ信号をＡ／Ｄ変換回路を介してデジタル信号に変換して出力するスイッチ組と、
前記サイズ識別手段の操作に応じてＯＮ／ＯＦＦ信号をデジタルポートへ出力する１つ以上のスイッチと、
前記スイッチ組の出力結果と前記スイッチの出力結果とに基づいてシートのサイズを検知するコントローラと、を備え、
前記エンドガイドには、前記エンドガイドを操作することで移動すると共に段差状の溝部が形成されたエンド用アクチュエータが連結され、
前記デジタルポートへＯＮ／ＯＦＦを出力する１つ以上のスイッチは、前記エンド用アクチュエータの段差状の溝部と当接又は離間してＯＮ／ＯＦＦされ、
前記スイッチ組には、
シート部材の積載方向に対して異なる高さであって、シートの搬送方向に対して同一の位置に配置されると共に、前記エンド用アクチュエータの段差状の溝部と当接又は離間してＯＮ／ＯＦＦされる２つのスイッチと、
を有することを特徴とするシートサイズ検知装置。
【請求項２】
請求項１に記載のシートサイズ検知装置を備え、そのシートサイズ検知装置によってサイズが検知されたシート状の記録媒体に対し画像形成部で画像を形成することを特徴とする画像形成装置。
【発明の詳細な説明】
【技術分野】
【０００１】
本発明は、シートサイズ検知装置及び画像形成装置に係り、詳細には、給紙部に積載される用紙等のシート状の記録媒体のサイズを検知する用紙サイズ検知装置等に適用されるシートサイズ検知装置、及び、そのサイズが検知されたシート状の記録媒体に対して画像を形成する画像形成装置に関する。
【背景技術】
【０００２】
画像形成装置に搭載されて、給紙部に積載される画像形成用紙のサイズを検知する用紙サイズ検知装置では、用紙サイズを識別するための交換可能な識別部材を、用紙サイズに応じて用紙カセットの挿入面に付け替え、その識別部材を画像形成装置内に設けたスイッチで検知する（例えば、特許文献１参照）、あるいは、用紙サイズに応じて用紙ガイドの位置を変更し、複数設けたスイッチでそのガイド位置を検知する（例えば、特許文献２、３参照）など、複数のスイッチのＯＮ／ＯＦＦ切り替えの組み合わせに基づいて用紙サイズを検知している。
【特許文献１】特開平４−５９５１７号公報
【特許文献２】特開平５−９２８２０号公報
【特許文献３】特開平５−１３２１５４号公報
【発明の開示】
【発明が解決しようとする課題】
【０００３】
しかしながら、上記の構成では、検知する用紙サイズの種類の増加に対応するためスイッチの数を増やそうとした場合に、全てのスイッチにデジタルポートを使用すると、スイッチの数だけポート数が必要になり、回路設計が複雑になる。また、通常、Ｉ／Ｏポート数には上限があるため、他に必要なポートが不足してしまう。また、全てのポートを１つのＡ／Ｄ変換ポートを介して入力すると、抵抗値のばらつきやＡ／Ｄ変換の精度によって分解能に限界があることから、使用できるスイッチの数が制限されてしまい、検知できる用紙サイズの種類を多くできない問題がある。
【０００４】
本発明は上記事実を考慮して、シートのサイズを検知するために必要な入力ポート数を抑えつつ、より多くの種類のシートサイズを検知することができるシートサイズ検知装置及び画像形成装置を提供することを課題とする。
【課題を解決するための手段】
【０００５】
上記目的を達成するために請求項１に記載の発明は、シートの幅方向のサイズを識別するサイドガイドと、シートの搬送方向のサイズを識別するエンドガイドと含んで構成されるサイズ識別手段と、前記サイズ識別手段の操作に応じてＯＮ／ＯＦＦが切り替えられる複数のスイッチが設けられ、各々のスイッチのＯＮ／ＯＦＦ切り替えでスイッチ回路の抵抗の組み合わせが変更されることによりそのスイッチ回路の抵抗値が変更され、その抵抗値に応じたアナログ信号をＡ／Ｄ変換回路を介してデジタル信号に変換して出力するスイッチ組と、前記サイズ識別手段の操作に応じてＯＮ／ＯＦＦ信号をデジタルポートへ出力する１つ以上のスイッチと、前記スイッチ組の出力結果と前記スイッチの出力結果とに基づいてシートのサイズを検知するコントローラと、を備え、前記エンドガイドには、前記エンドガイドを操作することで移動すると共に段差状の溝部が形成されたエンド用アクチュエータが連結され、前記デジタルポートへＯＮ／ＯＦＦを出力する１つ以上のスイッチは、前記エンド用アクチュエータの段差状の溝部と当接又は離間してＯＮ／ＯＦＦされ、前記スイッチ組には、シート部材の積載方向に対して異なる高さであって、シートの搬送方向に対して同一の位置に配置されると共に、前記エンド用アクチュエータの段差状の溝部と当接又は離間してＯＮ／ＯＦＦされる２つのスイッチと、を有することを特徴とする。
【０００６】
本発明では、例えば、シートのサイズに応じて位置を変更するガイドやアクチュエータ等のサイズ識別手段により、シートサイズが識別され、その識別結果に応じて、スイッチユニットでは、複数のスイッチのＯＮ／ＯＦＦが切り替えられる。
【０００７】
ここで、スイッチユニットに設けられたスイッチ組では、各々のスイッチのＯＮ／ＯＦＦ切り替えでスイッチ回路の抵抗の組み合わせが変更されることによりスイッチ回路の抵抗値が変更され、その抵抗値に応じたアナログ信号がＡ／Ｄ変換回路を介してデジタル信号に変換されて出力される。また、スイッチユニットに設けられた１つ以上のスイッチでは、ＯＮ／ＯＦＦ信号がデジタルポートへ直接出力される。
【０００８】
これにより、このスイッチユニットでは、各スイッチのＯＮ／ＯＦＦ切り替えにより、少数のポートに対し多数の信号出力パターンが得られるようになるため、シートのサイズを検知するために必要な入力ポート数を抑えつつ、より多くの種類のシートサイズ検知することができる。
【００１３】
請求項２に記載の発明に係る画像形成装置は、請求項１に記載のシートサイズ検知装置を備え、そのシートサイズ検知装置によってサイズが検知されたシート状の記録媒体に対し画像形成部で画像を形成することを特徴としている。
【００１４】
上記のシートサイズ検知装置を備えた画像形成装置であれば、上記のシートサイズ検知装置によって、より多くの種類のシート状記録媒体のサイズ検知が可能となることにより、より多くの種類のシート状記録媒体への画像形成に対応することができる。
【発明の効果】
【００１５】
本発明のシートサイズ検知装置及び画像形成装置によれば、シートのサイズを検知するために必要な入力ポート数を抑えつつ、より多くの種類のシートサイズを検知することができる。
【発明を実施するための最良の形態】
【００１６】
以下、図面を参照して本発明の実施形態に係るシート供給装置が適用された給紙装置、及び、その給紙装置が搭載された画像形成装置について説明する。
【００１７】
図１に示す本実施形態の画像形成装置１０は、電子写真方式を用いた複写機であり、図示のように、画像形成装置本体１２の上面部に、原稿トレイに載置された原稿を画像読取位置に自動で送り込み、画像読取後に自動で排出する自動原稿送り装置１４が設けられている。
【００１８】
画像形成装置本体１２の内部には、自動原稿送り装置１４から送り込まれた原稿の画像を読み取って画像信号に変換する原稿読み取り部１６、原稿読み取り部１６からの画像信号に基づいて用紙に画像（トナー像）を形成する画像形成部１８、画像形成部１８に対して用紙を供給する給紙装置２０、及び、画像形成部１８に供給する用紙の搬送方向に対する曲がりを補正する用紙整合装置８０が設けられている。
【００１９】
図２に示すように、給紙装置２０は、使用頻度の高いＡ４サイズやレターサイズ等の小サイズ用紙ＰＳが収容される２つの小型給紙カセット２２Ａ，２２Ｂ、Ａ３サイズ等の大サイズ用紙ＰＬが収容される２つの大型給紙カセット２４Ａ，２４Ｂ、これらの給紙カセット２２Ａ，２２Ｂ，２４Ａ，２４Ｂから用紙Ｐ（ＰＳ，ＰＬ）を送り出す給紙機構２６Ａ，２６Ｂ，２６Ｃ，２６Ｄ、送り出された用紙Ｐを画像形成部１８へ案内するための用紙搬送路２８、及び、用紙搬送路２８に沿って用紙を画像形成部１８側へ搬送する複数の搬送ロール対３０を備えている。
【００２０】
小型の給紙カセット２２Ａ，２２Ｂは、同一構成で構成部品の共通化が図られており、給紙容量が等しくされ、それぞれ大量（例えば１５００枚）の小サイズ用紙ＰＳが積み重ねられた状態で収容される。また、各々が略水平方向で且つ給紙方向の上流側と下流側に並列して近接するとともに、上流側（図２では右側）の給紙カセット２２Ａの方が、下流側（図２では左側）の給紙カセット２２Ｂよりも少し上方に位置して段違いに配置されている。
【００２１】
給紙カセット２２Ａ，２２Ｂの内部には、モータを駆動源とする図示しない昇降機構によって上下方向に移動可能とされたトレイ３２が設けられており、小サイズ用紙ＰＳはこのトレイ３２上に積載されて給紙カセット２２Ａ，２２Ｂ内に収容される。
【００２２】
また、大型の給紙カセット２４Ａ，２４Ｂは、並列配置された給紙カセット２２Ａ，２２Ｂの上方に略二段重ねで配置されており、それぞれ大サイズ用紙ＰＬが積み重ねられた状態で収容される。
【００２３】
給紙カセット２２Ａ，２２Ｂ，２４Ａ，２４Ｂにそれぞれ対応して設けられた給紙機構２６（２６Ａ〜２６Ｄ）は、同一構成とされて構成部品の共通化が図られている。この給紙機構２６は、給紙カセット内の最上の用紙Ｐを給紙方向へ繰り出すためのピックアップロール３４、繰り出された用紙Ｐを１枚ずつ送り出すためのフィードロール３６及びリタードロール３８と、図示は省略したがそれらの各ロールを回転可能に支持する支持機構、各ロールを回転駆動する駆動源としてのモータ、及びモータの回転力を各ロールに伝える回転力伝達機構等を備えており、それらの各部品がフレーム４０内に収容されて構成されている。
【００２４】
また、上流側の給紙カセット２２Ａに対応する給紙機構２６Ａについては、フレーム４０の下面部を構成する下部フレーム４０Ａが、下流側の給紙カセット２２Ｂのトレイ３２に積載された小サイズ用紙ＰＳの後端部に対して上方に近接配置されている。
【００２５】
給紙装置２０の上方には、用紙整合装置８０が用紙搬送路２８の下流端部（上端部）に接続されて配置されており、用紙整合装置８０には用紙搬送路２８から用紙Ｐ（ＰＳ，ＰＬ）が送り込まれる。
【００２６】
用紙整合装置８０は、給紙装置２０側の用紙搬送路２８と画像形成部１８との間を接続する用紙搬送路８２、用紙搬送路８２の上流側に配置された一対の搬送ロール（補助ロール）８４及び下流側に配置された一対のレジストロール（補正ロール）８６、図示は省略したがそれらの各ロールを回転可能に支持する支持機構、各ロールを回転駆動する駆動源としてのモータ、及びモータの回転力を各ロールに伝える回転力伝達機構等を備えており、搬送ロール８４の回転により用紙Ｐを下流側へ搬送し、停止させたレジストロール８６に用紙先端を突き当ててループを形成することにより、搬送方向に対する用紙Ｐの曲がりを補正する（ループアライニング）。そして、曲がり補正後に所定のタイミング（画像形成タイミング）でレジストロール８６及び搬送ロール８４を回転させ、用紙Ｐを画像形成部１８に送り込む。
【００２７】
また、この画像形成装置１０の用紙搬送系は、用紙Ｐを用紙搬送路２８，８２の幅方向における略中央基準で搬送する、すなわちその略中央に用紙幅方向の略中央を位置合わせした状態で搬送するセンターレジ方式とされている。
【００２８】
画像形成装置１０は以上の構成とされており、この画像形成装置１０では、自動原稿送り装置１４から送り込まれた原稿の画像を、原稿読み取り部１６で読み取り画像信号に変換し、その画像信号に基づき画像形成部１８で、給紙カセット２２Ａ，２２Ｂ，２４Ａ，２４Ｂから給紙機構２６Ａ，２６Ｂ，２６Ｃ，２６Ｄにより送り出され、用紙搬送路２８を搬送ロール対３０により搬送され、用紙整合装置８０により搬送方向に対する曲がりが補正されて供給された用紙Ｐに対し画像を形成することにより、原稿の画像を用紙Ｐに複写する。
【００２９】
（第１の実施形態）
次に、本発明の第１の実施形態に係る用紙サイズ検知装置について、その用紙サイズ検知装置のサイズ識別機構が設けられている上述した給紙カセット２４Ａを例に詳細に説明する。
【００３０】
図３に示すように、給紙カセット２４Ａは、画像形成装置本体１２に用紙搬送方向（矢印Ｙ方向）と直交する方向（矢印Ａ／Ｂ方向）にスライド可能に取り付けられている。用紙Ｐは、この給紙カセット２４Ａが画像形成装置本体１２から引き出された状態で（矢印Ａ方向）、カセット内の載置面２５に積載されて収容され、給紙カセット２４Ａが画像形成装置本体１２に押し込まれると、カセット内からの供給が可能となる。
【００３１】
載置面２５上には、用紙搬送方向と直交する方向である左右方向（矢印Ｃ方向）にスライドして用紙Ｐの側端部に当接し、用紙幅方向の載置位置を規制する一対のサイドガイド１０２Ａ、１０２Ｂと、用紙搬送方向と平行する方向である前後方向（矢印Ｄ方向）にスライドして用紙Ｐの後端部に当接し、用紙搬送方向の載置位置を規制するエンドガイド１０４と、が設けられており、用紙Ｐのサイズを識別するためのサイズ識別機構１００は、これらのサイドガイド１０２Ａ、１０２Ｂ及びエンドガイド１０４を含んで構成されている。
【００３２】
図４に示すように、サイドガイド１０２Ａ、１０２Ｂの下端部には、左右方向に沿って互いにカセット中央側へ延出された一対のラック１１０Ａ、１１０Ｂが設けられており、このラック１１０Ａ、１１０Ｂは、互いのラック面を対向させ２つのピニオンギア１１２に噛み合わせて配置されている。
【００３３】
カセット内の奥側に配置されたサイドガイド１０２Ｂには、後端側に係合突起１１４が設けられている。このサイドガイド１０２Ｂの後端側には、前後方向にスライド可能に取り付けられたスライド板１１６が配置されており、スライド板１１６は、左右方向に沿って延出されるとともに略階段状に形成されたガイド孔１１８が係合突起１１４に嵌め込まれて係合することにより、サイドガイド１０２Ｂに連結されている。また、スライド板１１６の奥側の端部には、サイド用アクチュエータ１２０が設けられており、サイド用アクチュエータ１２０には、前後方向に所定の間隔で配置され奥方へ突出された２つのスイッチ押圧部１２２Ａ、１２２Ｂが設けられている。
【００３４】
これにより、ユーザがカセット内の手間側に配置されたサイドガイド１０２Ａをスライド操作すると、それに連動してサイドガイド１０２Ｂが逆方向へスライドし、この一対のサイドガイド１０２Ａ、１０２Ｂを載置面２５上に載置された用紙Ｐの側端部に当接させることで、用紙幅方向の載置位置が規制される。さらに、このサイドガイド１０２Ａ、１０２Ｂに連動して、スライド板１１６が前後方向にスライドし、これに伴い、サイド用アクチュエータ１２０も前後方向にスライドする。
【００３５】
一方、エンドガイド１０４は、直線状に延出されたリンク１２４の一端部側（カセット後側）に配置されており、下面部に設けられた図示しない係合突起が、リンク１２４の一端部に形成されたガイド孔１２６に嵌め込まれて係合することにより、リンク１２４の一端部に連結されている。
【００３６】
図５に示すように、リンク１２４の他端部側（カセット奥側）には、前後方向にスライド可能に取り付けられたエンド用アクチュエータ１３０が配置されており、エンド用アクチュエータ１３０は、下面部に設けられた図示しない係合突起が、リンク１２４の他端部に形成されたガイド孔１２８に嵌め込まれて係合することにより、リンク１２４の他端部に連結されている。
【００３７】
エンド用アクチュエータ１３０には、前後方向に所定の間隔で配置され２つの開口部が形成されており、この開口部によってスイッチ押圧解除部１３２Ａ、１３２Ｂが構成されている。一方のスイッチ押圧解除部１３２Ａは、スイッチユニット１４０のプッシュスイッチ１４４Ｄ，１４４Ｅに対応して、エンド用アクチュエータ１３０の動作方向である前後方向沿った直線状に開口しており、他方のスイッチ押圧解除部１３２Ｂは、プッシュスイッチ１４４Ｃ〜１４４Ｅに対応して、各スイッチの押圧解除部が前後方向沿って開口している。
【００３８】
このエンドガイド１０４とエンド用アクチュエータ１３０とが連結されたリンク１２４は、中央部よりも少しエンド用アクチュエータ１３０寄りに形成された円形孔１３４が、給紙カセット２４Ａの底面上に設けられた軸１３６に挿入されることにより、軸１３６を中心に回動可能に取り付けられる。
【００３９】
これにより、ユーザがエンドガイド１０４をスライド操作すると、リンク１２４が回動しエンドガイド１０４に連動してエンド用アクチュエータ１３０が逆方向へスライドする。このエンドガイド１０４を載置面２５上に載置された用紙Ｐの後端部に当接させることで、用紙搬送方向の載置位置が規制される。
【００４０】
また、本実施形態では、上述したサイドガイド１０２Ａ、１０２Ｂ、エンドガイド１０４、スライド板１１６、サイド用アクチュエータ１２０、リンク１２４、エンド用アクチュエータ１３０等によりサイズ識別機構１００が構成されている。
【００４１】
他方、画像形成装置本体１２内には、図３〜５に示すように、サイド用アクチュエータ１２０及びエンド用アクチュエータ１３０と対応する位置に、スイッチユニット１４０が取り付けられている（図３参照）
スイッチユニット１４０は、各アクチュエータ１２０、１３０と対向する基板１４２の片面に、図６に示すように、５個のプッシュスイッチ１４４Ａ〜１４４Ｅが実装されている。このプッシュスイッチ１４４Ａ〜１４４Ｅのうち、上側に並列配置された２個のプッシュスイッチ１４４Ａ、１４４Ｂがサイド用アクチュエータ１２０に対応し、中央のプッシュスイッチ１４４Ｃと、下側に並列配置された２個のプッシュスイッチ１４４Ｄ、１４４Ｅの計３個がエンド用アクチュエータ１３０に対応している。
【００４２】
また、このスイッチユニット１４０の基板１４２上には、図７（Ａ）に示すスイッチ回路１５０が形成されている。このスイッチ回路１５０では、４個のプッシュスイッチ１４４Ａ〜１４４Ｄ（ＳＷ１〜ＳＷ４）が１組とされており、各スイッチのＯＮ／ＯＦＦ切り替えでスイッチ回路１５０の抵抗（Ｒ１〜Ｒ４等）の組み合わせが変更され、スイッチ回路１５０の抵抗値が変更されることにより、電源からの供給電圧（５Ｖ）に対して出力電圧が変化する。また、このアナログ電圧信号は、画像形成装置１０内のコントローラ（図示省略）におけるＡ／Ｄ変換ポート１へ出力される。これにより、このアナログ電圧信号はＡ／Ｄ変換回路を介してデジタル信号に変換される。
【００４３】
また、残り１個のプッシュスイッチ１４４Ｅは、ＯＮ／ＯＦＦ（Ｈｉｇｈ／Ｌｏｗ）信号をコントローラのデジタルポートへ直接出力する。
【００４４】
スイッチユニット１４０は以上の構成とされ、このスイッチユニット１４０と上述したサイズ識別機構１００によって用紙サイズ検知装置９０が構成されている（図４参照）。
【００４５】
次に、本実施形態のシートサイズ検知装置９０による用紙サイズ検知とその作用について説明する。
【００４６】
上述したように、給紙カセット２４Ａのサイドガイド１０２Ａ、１０２Ｂをスライド操作すると、サイド用アクチュエータ１２０がスライドして、図８（Ａ）に示すように、スイッチユニット１４０のプッシュスイッチ１４４Ａ、１４４Ｂに対するスイッチ押圧部１２２Ａ、１２２Ｂの相対位置を変化させる。これにより、スイッチ押圧部１２２Ａ、１２２Ｂによるプッシュスイッチ１４４Ａ、１４４Ｂの押圧／解除が切り替えられ、プッシュスイッチ１４４Ａ、１４４ＢのＯＮ／ＯＦＦが切り替えられる。
【００４７】
また、エンドガイド１０４をスライド操作すると、エンド用アクチュエータ１３０がスライドして、図８（Ｂ）に示すように、スイッチユニット１４０のプッシュスイッチ１４４Ｃ〜１４４Ｅに対するスイッチ押圧解除部１３２Ａ、１３２Ｂ（開口部）の相対位置を変化させる。これにより、エンド用アクチュエータ１３０及びスイッチ押圧解除部１３２Ａ、１３２Ｂによるプッシュスイッチ１４４Ｃ〜１４４Ｅの押圧／解除が切り替えられ、プッシュスイッチ１４４Ｃ〜１４４ＥのＯＮ／ＯＦＦが切り替えられる。
【００４８】
そして、１組とされたプッシュスイッチ１４４Ａ〜１４４ＤのＯＮ／ＯＦＦ切り替えにより、図７（Ｂ）に示すように、スイッチ回路１５０からコントローラのＡ／Ｄ変換ポートへ出力されるアナログ電圧レベルが０〜４．６６（Ｖ）まで１６ステップで変化する。また、プッシュスイッチ１４４ＥのＯＮ／ＯＦＦ切り替えにより、コントローラのデジタルポートへ出力される信号のＨｉｇｈ／Ｌｏｗが切り替えられる。
【００４９】
これにより、このスイッチユニット１４０では、５個のスイッチのＯＮ／ＯＦＦ切り替えで、２つのポートに対し３２パターンの信号出力が可能となり、シートサイズ検知装置９０においては、最高で３２種類の用紙サイズが検知が可能となる。
【００５０】
以上説明したように、本実施形態のシートサイズ検知装置９０では、用紙サイズを検知するために必要な入力ポート数が抑えられるとともに、より多くの種類の用紙サイズ検知が可能となる。また、このシートサイズ検知装置９０を備えた本実施形態の画像形成装置１０では、より多くの種類の用紙Ｐへの画像形成に対応することができる。
【００５１】
（第２の実施形態）
次に、本発明の第２の実施形態について説明する。
【００５２】
図９（Ａ）には、本実施形態のスイッチユニットに構成されたスイッチ回路が示されている。
【００５３】
図９（Ａ）に示すように、本実施形態では、スイッチユニット１６０に６個のプッシュスイッチ（ＳＷ１〜ＳＷ６）を設け、３個のスイッチを１組とした２つのスイッチ回路１６０Ａ、１６０Ｂが構成されている。
【００５４】
一方のスイッチ回路１６０Ａでは、３個のプッシュスイッチ（ＳＷ１〜ＳＷ３）のＯＮ／ＯＦＦ切り替えで抵抗（Ｒ１〜Ｒ３等）の組み合わせが変更されることにより、スイッチ回路１６０Ａの抵抗値が変更され、電源からの供給電圧（５Ｖ）に対して出力電圧が変化する。そしてこのアナログ電圧信号は、コントローラのＡ／Ｄ変換ポート１へ出力される。
【００５５】
また、他方のスイッチ回路１６０Ａも同様に、３個のプッシュスイッチ（ＳＷ４〜ＳＷ６）のＯＮ／ＯＦＦ切り替えで抵抗（Ｒ４〜Ｒ６等）の組み合わせが変更されることにより、スイッチ回路１６０Ｂの抵抗値が変更され、電源からの供給電圧（５Ｖ）に対して出力電圧が変化する。そしてこのアナログ電圧信号は、コントローラのＡ／Ｄ変換ポート２へ出力される。
【００５６】
また、このような６個のプッシュスイッチ（ＳＷ１〜ＳＷ６）に対し、第１の実施形態で説明したサイズ識別機構では、サイド用及びエンド用の各アクチュエータを形状変更することにより、各スイッチのＯＮ／ＯＦＦ切り替えが可能となるよう構成する。
【００５７】
以上により、本実施形態では、２つのスイッチ回路１６０Ａ、１６０Ｂを構成する２組のプッシュスイッチ（ＳＷ１〜ＳＷ３／ＳＷ４〜ＳＷ６）のＯＮ／ＯＦＦ切り替えにより、図９（Ｂ）、（Ｃ）に示すように、各スイッチ回路１６０Ａ、１６０ＢからコントローラのＡ／Ｄ変換ポート１、２へ出力されるアナログ電圧レベルが０〜４．６６（Ｖ）まで８ステップで変化する。これにより、このスイッチユニット１６０では、６個のスイッチのＯＮ／ＯＦＦ切り替えで、２つのポートに対し６４パターンの信号出力が可能となり、シートサイズ検知装置においては、最高で６４種類の用紙サイズが検知が可能となる。
【００５８】
また、本実施形態の回路構成では、第１の実施形態の回路に対し、１ステップ当たりの電圧レベルを大きく（約２倍）できるため、抵抗値のばらつきやＡ／Ｄ変換の精度に依存する分解能に対してマージンを確保することができ、回路設計が容易となる。
【００５９】
以上、本発明を上述した第１及び第２の実施形態により詳細に説明したが、本発明はそれらに限定されるものではなく、本発明の範囲内にて他の種々の形態が実施可能である。
【００６０】
また本発明は、上述した複写機に限らず、レーザプリンタやインクジェットプリンタ等の他の画像形成装置、及びそれらのプリンタ等の搭載される用紙サイズ検知装置にも適用することができる。さらに本発明は、シート状記録媒体のサイズを検知する上述したような用紙サイズ検知装置に限らず、高分子フィルム等のシートを加工するため、そのシートのサイズを検知するシートサイズ検知装置にも適用することができる。
【図面の簡単な説明】
【００６１】
【図１】本発明の一実施形態に係る画像形成装置の概略構成を示す構成図である。
【図２】図１の画像形成装置に搭載された給紙装置及び用紙整合装置の概略構成を示す構成図である。
【図３】本発明の第１の実施形態に係る用紙サイズ検知装置のサイズ識別機構が設けられた給紙カセットを示す斜視図である。
【図４】本発明の第１の実施形態に係る用紙サイズ検知装置を示す斜視図である。
【図５】図４の用紙サイズ検知装置におけるエンドガイド側のサイズ識別機構とスイッチユニットを示す斜視図である。
【図６】図４の用紙サイズ検知装置に設けられたスイッチユニットを示す正面図である。
【図７】（Ａ）は本発明の第１の実施形態に係るスイッチユニットに形成されたスイッチ回路を示す回路図、（Ｂ）は（Ａ）のスイッチ回路から出力される電圧レベルの出力パターンを示す表図である。
【図８】（Ａ）、（Ｂ）は本発明の第１の実施形態に係るスイッチユニットに設けられた５個のプッシュスイッチのＯＮ／ＯＦＦ切り替えの組み合わせを説明する説明図である。
【図９】（Ａ）は本発明の第２の実施形態に係るスイッチユニットに形成されたスイッチ回路を示す回路図、（Ｂ）、（Ｃ）は（Ａ）のスイッチ回路から出力される電圧レベルの出力パターンを示す表図である。
【符号の説明】
【００６２】
１０   画像形成装置
１８   画像形成部
９０   用紙サイズ検知装置（シートサイズ検知装置）
１００ サイズ識別機構
１０２Ａ、１０２Ｂ   サイドガイド
１０４ エンドガイド
１１６ スライド板
１２０ サイド用アクチュエータ
１２２Ａ、１２２Ｂ   スイッチ押圧部
１２４ リンク
１３０ エンド用アクチュエータ
１３２Ａ、１３２Ｂ   スイッチ押圧解除部
１４０ スイッチユニット
１４４Ａ〜１４４Ｅ   プッシュスイッチ
１５０ スイッチ回路
１６０ スイッチユニット
１６０Ａ、１６０Ｂ   スイッチ回路
Ｐ     用紙（シート／記録媒体）
ＰＳ   用紙（シート／記録媒体）
ＰＬ   用紙（シート／記録媒体）
【図１】
0004640100.tif 000002
【図２】
0004640100.tif 000003
【図３】
0004640100.tif 000004
【図４】
0004640100.tif 000005
【図５】
0004640100.tif 000006
【図６】
0004640100.tif 000007
【図７】
0004640100.tif 000008
【図８】
0004640100.tif 000009
【図９】
0004640100.tif 000010